(57)【要約】【課題】現像位置で発生する浮遊トナーを効率よく吸引するとともに、トナー吸引装置の吸引管の内壁へトナーが付着または堆積することを防止する。【解決手段】感光体ドラム２の周面に対向して配置された吸引口２１，３１を有した第１の吸引管２３及び第２の吸引管３３を備える。吸引管２３、３３の吸引口２１，３１近くの上板２３ａ，３３ａ及び下板２３ｂ，３３ｂに複数の電極２２，３２を貼付する。一の電極２２ａ，３２ａを接地するとともに、これに隣り合う電極２２ｂ，３２ｂに現像バイアス電圧の交流成分を印加して、両極間に振動電界を形成する。吸引口から吸引された浮遊トナーは、電極間に形成された振動電界により振動しながら移動するので吸引されやすくなり、吸引管への内面にトナーが付着または堆積することが防止される。【選択図】  図２
2010230821.tif 000002
【特許請求の範囲】
【請求項１】
吸引口を有する吸引管と、
該吸引管を介して飛散するトナーを吸引する吸引装置と、
前記吸引管の吸引口近くの内面に沿って配列された複数の電極と、
互いに隣り合う前記電極間に電圧を印加し、振動電界を形成する電源装置とを有することを特徴とするトナー吸引装置。
【請求項２】
前記電極は、絶縁材料からなる吸引管の内面下に埋め込まれていることを特徴とする請求項１に記載のトナー吸引装置。
【請求項３】
前記電極は、薄膜状の導電性材料を埋め込んだ絶縁材料からなるシート状部材を前記吸引管の内面に貼り付けたものであることを特徴とする請求項１に記載のトナー吸引装置。
【請求項４】
静電潜像が表面に形成される像保持体と、
無端状の周面にトナーを保持して前記像保持体と対向する現像部材を備え、該現像部材から前記静電潜像にトナーを転移して可視像を形成する現像装置と、
前記像保持体と前記現像部材との間に現像バイアス電圧を印加する電源装置と、
前記像保持体と前記現像装置との対向部附近に吸引口を有する吸引管と、
該吸引管を介して前記像保持体と前記現像装置との対向部附近で飛散するトナーを吸引する吸引装置と、
前記吸引管の吸引口近くの内面に沿って配列された複数の電極と、を有し、
互いに隣り合う前記電極間には、前記電源装置から電圧が印加され、振動電界が形成されるものであることを特徴とする画像形成装置。
【請求項５】
前記電源装置は、前記現像ロールに現像バイアス電圧が印加されているときには、前記電極に印加する電圧はＯＦＦとし、前記現像バイアス電圧がＯＦＦとされた後に前記電極に電圧を印加することを特徴とする請求項４に記載の画像形成装置。
【発明の詳細な説明】
【技術分野】
【０００１】
本発明は、飛散するトナーを吸引して除去するトナー吸引装置及びトナー吸引装置を備えた画像形成装置に関する。
【背景技術】
【０００２】
電子写真方式による複写機やプリンタ等の画像形成装置では、像保持体上に形成された静電潜像にトナーを転移させてトナー像を形成する。トナーを像保持体に転移させる現像装置には、像保持体に近接して現像ロールが備えられており、この現像ロールの周面上に現像剤の薄層が形成される。そして、像保持体の表面に形成された静電潜像が現像ロールと対向する現像位置を通過するときにトナーが静電的に転移して現像されるようになっている。
このように現像ロールから像保持体にトナーが移転されるときに、トナーの一部が現像装置や像保持体の周辺に飛散して浮遊することがあり、この浮遊トナーを回収するためのトナー捕集装置を備えた画像形成装置が、例えば特許文献１に記載されている。
【０００３】
このトナー捕集装置は、現像装置の下方に位置し、像保持体の近傍に吸引口部を有したトナー吸引手段を備えている。吸引口部にはトナーの帯電電荷とは逆極性の電位が付与されたトナー捕集用電極が設けられ、浮遊トナーをこの電極に吸着して捕集する。その後、電位の付与をＯＦＦにしてトナー捕集用電極に対するトナーの吸着力を解除し、この状態で吸引してトナーを回収するものとなっている。
【先行技術文献】
【特許文献】
【０００４】
【特許文献１】特開平０５−１５０６３４号公報
【発明の概要】
【発明が解決しようとする課題】
【０００５】
本願発明は、吸引管の内壁へのトナーの付着又はトナーの堆積を低減することを目的とする。
【課題を解決するための手段】
【０００６】
上記課題を解決するために、請求項１に係る発明は、  吸引口を有する吸引管と、  該吸引管を介して飛散するトナーを吸引する吸引装置と、  前記吸引管の吸引口近くの内面に沿って配列された複数の電極と、  互いに隣り合う前記電極間に電圧を印加し、振動電界を形成する電源装置とを有することを特徴とするトナー吸引装置を提供する。
【０００７】
請求項２に係る発明は、請求項１に記載のトナー吸引装置において、  前記電極は、絶縁材料からなる吸引管の内面下に埋め込まれているものとする。  
【０００８】
請求項３に係る発明は、請求項１に記載のトナー吸引装置において、  前記電極は、薄膜状の導電性材料を埋め込んだ絶縁材料からなるシート状部材を前記吸引管の内面に貼り付けたものとする。  
【０００９】
請求項４に係る発明は、  静電潜像が表面に形成される像保持体と、  無端状の周面にトナーを保持して前記像保持体と対向する現像部材を備え、該現像部材から前記静電潜像にトナーを転移して可視像を形成する現像装置と、  前記像保持体と前記現像部材との間に現像バイアス電圧を印加する電源装置と、  前記像保持体と前記現像装置との対向部附近に吸引口を有する吸引管と、  該吸引管を介して前記像保持体と前記現像装置との対向部附近で飛散するトナーを吸引する吸引装置と、  前記吸引管の吸引口近くの内面に沿って配列された複数の電極と、を有し、  互いに隣り合う前記電極間には、前記電源装置から電圧が印加され、振動電界が形成されるものであることを特徴とする画像形成装置を提供する。
【００１０】
請求項５に係る発明は、  請求項４に記載の画像形成装置において、  前記電源装置は、前記現像ロールに現像バイアス電圧が印加されているときには、前記電極に印加する電圧はＯＦＦとし、前記現像バイアス電圧がＯＦＦとされた後に前記電極に電圧を印加するものとする。
【発明の効果】
【００１１】
請求項１に係るトナー吸引装置では、本構成を備えていないものと比較して、吸引管の内壁へのトナーの付着又はトナーの堆積を低減することができる。
【００１２】
請求項２に係るトナー吸引装置では、本構成を備えていないものと比較して、トナーに混在した導電物質によるリーク電流の発生を低減することができる。
【００１３】
請求項３に係るトナー吸引装置では、本構成を備えていないものと比較して、絶縁材料で被覆された電極を吸引管の内面に容易に取り付けることができる。
【００１４】
請求項４に係る画像形成装置では、現像バイアス電圧を印加するための電源装置を利用して吸引管の内壁へのトナーの付着又はトナーの堆積を低減することができる。
【００１５】
請求項５に係る画像形成装置では、本構成を備えていないものと比較して、少ない製造コストで、適切な現像バイアス電圧の印加による良好な現像と、吸引管に設けられた電極への電圧印加によるトナーの付着防止との双方を実現することができる。
【図面の簡単な説明】
【００１６】
【図１】本願に係る発明の一実施形態である画像形成装置を示す概略構成図である。
【図２】図１に示した画像形成装置に用いられる現像装置及びトナー吸引装置を示す概略断面図である。
【図３】図２に示すトナー吸引装置の吸引管及び吸引管に設けられた電極を示す拡大断面図である。
【図４】トナー吸引装置の効果確認試験の結果を示す図である。
【図５】トナー吸引装置の効果確認試験の結果を示す図である
【図６】吸引管に電極を設置する態様の他の例を示す拡大断面図である。
【発明を実施するための形態】
【００１７】
以下、本願に係る発明の実施の形態を図に基づいて説明する。
図１は、本願に係る発明の一実施形態である画像形成装置の概略構成図である。
この画像形成装置は、４連タンデム方式のフルカラー画像形成装置であり、イエロー（Ｙ）、マゼンタ（Ｍ）、シアン（Ｃ）、ブラック（Ｋ）の各色の画像を出力する電子写真方式の画像形成ユニット１Ｙ、１Ｍ、１Ｃ、１Ｋと、これらと対向する中間転写ベルト９とを備えている。中間転写ベルト９は、これらの画像形成ユニット１のそれぞれと対向するように張架され、周方向に周回駆動されるものである。この中間転写ベルト９の周回移動方向における上流側から順に、イエロー、マゼンタ、シアン、ブラックのトナー像を形成する画像形成ユニット１Ｙ、１Ｍ、１Ｃ、１Ｋがほぼ同じ間隔で配列され、その下流側に、二次転写を行うための二次転写ロール１３が中間転写ベルト９と対向するように配置されている。この二次転写ロールが設けられた二次転写部１９には用紙トレイ１７から搬送路１８を経て記録用紙が送り込まれるようになっている。記録用紙の搬送路１８における二次転写部１９の下流側には、トナー像を加熱・加圧して記録用紙上に圧着する定着装置１４が設けられ、さらに下流側には記録用紙を装置外に排出する排出ロール１５が設けられている。
【００１８】
上記画像形成ユニット１のそれぞれは、表面に静電潜像が形成される像保持体として機能する感光体ドラム２を有しており、各感光体ドラム２の周囲に、該感光体ドラム２の表面をほぼ一様に帯電する帯電装置３と、感光体ドラム上に形成された潜像にトナーを選択的に転移させてトナー像を形成する現像装置５と、現像装置５が感光体ドラム２と対向する位置付近で浮遊するトナーを吸引するトナー吸引装置２０と、感光体ドラム上のトナー像を中間転写ベルト９上に一次転写する一次転写ロール６と、転写後の感光体ドラム上に残留した転写残トナーを除去するクリーニング装置７とを備えている。また、一様に帯電された感光体ドラム２のそれぞれについて、画像信号に基づく像光を発生する露光装置４が設けられ、現像装置５が対向する位置の上流側で感光体ドラム２に像光を照射して静電潜像を書き込むものとなっている。
【００１９】
感光体ドラム２は、金属からなる円筒状部材の周面に有機感光体層を積層したものであり、金属部分が電気的に接地されている。また、バイアス電圧が印加されるものであってもよい。
【００２０】
上記帯電装置３は、被帯電体である感光体ドラム２の周面と所定の間隔で張架された電極ワイヤを備えるものであり、この電極ワイヤと感光体ドラム２との間に電圧を印加し、コロナ放電を生じさせて感光体ドラム２の表面を帯電するものである。
本実施の形態では、上記のようにスコロトロンを用いたが、固体放電器やロール形状又はブレード形状などの接触あるいは非接触帯電装置を用いることもできる。
【００２１】
上記クリーニング装置７は、感光体ドラム２の周面に接触して配置されたクリーニング部材により、感光体ドラム２上に付着した転写残トナーを除去するものである。
【００２２】
上記露光装置４は、画像信号に基づいて点滅するレーザー光を発生し、これをポリゴンミラーによってそれぞれの感光体ドラム２の主走査方向（軸線方向）に走査するものである。これによりそれぞれの感光体ドラム２の表面に各色の画像に相当する静電潜像が形成される。  
【００２３】
上記現像装置５は、トナーと磁性キャリアとを含む二成分現像剤を使用するものであり、感光体ドラム２と近接する位置に現像ロール５ａを備え、この現像ロール５ａの周面上に二成分現像剤の薄層を形成し回転するものとなっている。そして、現像ロール５ａと感光体ドラム２との間に電源装置３０から現像バイアスが印加され、感光体ドラム２上の静電潜像が現像ロール５ａと対向する位置である現像位置を通過するときに露光部にトナーが静電的に付着して現像されるようになっている。
また、画像形成にともない消費されたトナーは、消費量に応じて補充される。
【００２４】
上記一次転写ロール６は、金属の芯材の外周面を導電性のゴム材で被覆してロール状に形成したものであり、各画像形成ユニット１に備えられた感光体ドラム２と対向する位置の中間転写ベルト９の裏側に配置されている。そして、一次転写ロール６と感光体ドラム２との間に転写バイアス電圧が印加され、中間転写ベルト９に感光体ドラム上のトナー像を静電的に転写するものとなっている。
【００２５】
上記中間転写ベルト９は、例えば、ポリイミド、ポリアミドイミド、ポリカーボネート、フッ素系樹脂などの樹脂材料のフィルムを無端状としたものであり、カーボンやイオン導電物質などの導電性付与のための物質を分散させて、表面抵抗率が調整されている。そして、支持ロール１０ａ、１０ｂ、１０ｃ及び転写対向ロール１２に張架されて図１中に示す矢印Ａの方向に周回移動するものとなっている。
【００２６】
中間転写ベルト９を挟んで転写対向ロール１２と対向する位置には、用紙トレイ１７から搬送される記録用紙上に中間転写ベルト９上のトナー像を転写する二次転写ロール１３が設けられている。二次転写ロール１３の下流には、中間転写ベルト上に残留するトナーを除去するクリーニング装置１６が設けられている。
【００２７】
上記定着装置１４は、加熱源を内蔵した加熱ロール１４ａと、この加熱ロール１４ａに圧接される加圧ロール１４ｂとを備えており、これらが平行に配置されて互いに接触し、ニップ部を形成している。トナーが転写された記録用紙は上記ニップ部に送り込まれ、回転駆動される加熱ロール１４ａと加圧ロール１４ｂとの間で加熱されるとともに加圧され、トナーが記録用紙上に圧着されるものとなっている。
【００２８】
上記トナー吸引装置２０は、図１及び図２に示すように、現像装置５の上方に吸引口２１を有する第１の吸引管２３と、現像装置５の下方に吸引口３１を有する第２の吸引管３３と、吸引管２３，３３の内面に沿って配置された複数の電極２２，３２と、トナーを吸引する空気流を発生させ、吸引装置として機能するファン４３と、ファン４３によって吸引された空気流からトナーを分離するフィルタ４２と、吸引されたトナーを収容するトナー回収槽４１と、吸引管２３，３３から空気流をトナー回収槽４１に導く連結管２４，３４及び誘導管４０と、電極２２，３２に交流電圧を印加する電源装置３０とで主要部が構成されている。
なお、電源装置３０は現像ロール５ａに現像バイアス電圧を印加するものでもあり、共通に用いられるものである。
【００２９】
上記第１の吸引管２３は、現像装置５の上方から現像領域に吸引口２１を向けて配置され、後方端は吸引によって発生する空気流を感光体ドラム２の軸線方向に導く第１の連結管２４に接続されている。また、第２の吸引管３３は現像装置５の下方から現像領域に吸引口３１を向け、現像装置５のハウジングの下側及び背面側に沿って配置されており、後方端が第２の連結管３４に接続されている。
【００３０】
上記吸引管２３，３３が接続された第１の連結管２４及び第２の連結管３４は誘導管４０と連結されており、全ての画像形成ユニットに設けられた連結管が一つの誘導管４０に接続されている。そして、誘導管４０が上記トナー回収槽４１に接続されている。
トナー回収槽４１は後方側にフィルタ４２が設けられ、その後方側に設けられたファン４３によって吸引され、吸引口２１，３１からトナー回収槽４１に至る空気流を形成するものとなっている。そしてトナー回収槽４１に導かれた空気流からフィルタ４２によってトナーが分離され、トナーがトナー回収槽４１内に残留する。
これにより、各画像形成ユニット１の現像装置５や感光体ドラム１の周辺にクラウド状となって浮遊するトナーを各吸引口２１，３１から吸引してトナー回収槽４１に収容するものである。
【００３１】
吸引管２３，３３は、感光体ドラム２の周面の幅方向に扁平な形状となっており、吸引口２１，３１は感光体ドラム２と現像ロール５ａとが対向する現像領域の幅方向におけるほぼ全域に対応して開口するものである。これにより、現像領域の全幅において浮遊トナーを除去できるものとなっている。
【００３２】
上記第１の吸引管２３に設けられた第１の電極２２及び第２の吸引管３３に設けられた電極３２は、図２及び図３に示すように、吸引管２３，３３の吸引口２１，３１付近の上板２３ａ，３３ａと下板２３ｂ，３３ｂの内面に一定の間隔で複数が設けられたものであり、感光体ドラム２の周面の幅方向に伸びた帯状となっている。そして、互いに隣り合う電極間に交流電源４４から交流電圧を印加できるものとなっている（図２中では交流電圧を印加するための導線を一部省略する）。本実施の形態では電気的に接地された電極２２ａ，３２ａと、交流電圧が印加される電極２３ｂ，３３ｂとが互いに隣り合い、交互に配置されている。これにより、図３中の矢印Ｂで示すように隣り合った電極間に振動電界が形成されるようになっている。
本実施の形態では、電極２２，３２の幅を１ｍｍとし、隣り合う電極との間隔を０．５ｍｍとしている。また、本実施の形態では帯状となった上記電極の長辺の方向を、感光体ドラム２の周面の幅方向としたが、これと直角方向つまり吸引される空気流に沿った方向としてもよいし、斜め方向に配置するものでもよい。
【００３３】
上記電極間に交流電圧を印加する交流電源４４は、現像ロール５ａに現像バイアス電圧を印加するための電源としても用いることができるものであり、現像バイアス電圧としては直流電源４５による直流を重畳して印加するものとなっている。そして、吸引管２３，３３に設けられた電極への交流電圧の印加及び現像ロール５ａへの直流重畳交流電圧の印加は、それぞれスイッチ４７，４６によってＯＮ／ＯＦＦを制御することができるものとなっている。
本実施の形態では、上記交流電源４４としてピーク値が−０．５ｋｖ，０．５ｋｖ（ピークツーピーク電圧：１ｋｖ）の対称な矩形波を出力するものを用いている。
【００３４】
このような画像形成装置は、以下のように動作する。
感光体ドラム２の回転が開始されると、帯電装置３によって感光体ドラム２の表面が−６００Ｖ〜−８００Ｖ程度の電位にほぼ一様に帯電される。一方、露光装置４は、制御部（図示せず）から送られてくる画像データに基づいて点滅するレーザー光を出力し、感光体ドラム２の表面に走査される。これにより感光体ドラム２の表面のレーザー光が照射された位置の電位が減衰し、静電電位の差による静電潜像が感光体ドラム２の表面に形成される。
【００３５】
感光体ドラム上に形成された静電潜像は、感光体ドラム２の回転により現像ロール５ａと対向する現像位置へ搬送される。現像ロール５ａと感光体ドラム２との間には電源装置３０の交流電源４４及び直流電源４５から現像バイアス電圧が印加され、現像位置で電界が形成される。感光体ドラム２の表面がこの現像位置を通過するときに感光体ドラム表面の除電された潜像部に現像ロール５ａに付着しているトナーが静電的に転移しトナー像が形成される。
【００３６】
感光体ドラム２が回転し、現像されたトナー像が一次転写位置へ搬送されると、一次転写ロール６に一次転写バイアスが印加され、感光体ドラム表面のトナー像が中間転写ベルト９の表面に転写される。このとき印加される転写バイアスは、トナーの極性（−）と逆極性の（＋）極性であり、例えば、＋２０〜３０μＡ程度に定電流制御される。
【００３７】
一方、転写後の感光体ドラム２の表面に残留した転写残トナーは、クリーニング装置７により除去される。
このようにして、各色のトナー像が重ねて転写された中間転写ベルト９は、矢印Ａ方向に周回移動し、二次転写ロール１３が中間転写ベルト９と接触する位置に搬送される。
【００３８】
二次転写ロール１３と中間転写ベルト９との間には、所定のタイミングで記録用紙が送り込まれ、中間転写ベルト９の表面のトナー像が記録用紙に転写される。
その後、記録用紙は定着装置１４へと送り込まれ、トナー像が加熱及び加圧されて記録用紙の表面に定着される。このようにして、カラー画像の定着が完了した記録用紙は、排出部（図示せず）へ向けて搬出され、一連のカラー画像形成動作が終了する。
【００３９】
上記画像形成動作中は、トナー吸引装置２０のファン４３が作動され、現像位置付近に設けられた吸引口２１，３１から現像位置で飛散して浮遊するトナーが吸引される。そして、吸引管２３，３３から連結管２４，３４及び誘導管４０を経てトナー回収槽４１に至る空気流によって搬送され、トナー回収槽４１に収容される。
【００４０】
予め定められた枚数の画像が形成され、画像形成動作が停止されて現像バイアス電圧の印加がＯＦＦ状態とされると、上記ファン４３の駆動は継続した状態で、吸引管２３，３３の内面に設けられた複数の電極２２，３２の隣り合う電極間に交流電圧が印加される。これにより隣り合う電極間に振動電界が形成され、吸引管２３，３３の内面や電極２２，３２に付着しているトナーに振動が生じ、吸引管の内面又は電極から離脱し易くなる。そして、吸引される空気流によってトナー回収槽４１に搬送される。したがって、画像形成動作中に吸引されたトナーが吸引管や電極に付着することがあっても、上記電極２２，３２に交流電圧を印加したときに回収され、吸引管内に付着し堆積したトナーによって吸引管２３，３３が狭窄されたり、堆積したトナーが固まった状態で落下して画像形成装置内や感光体ドラム２の表面を汚すのが低減される。特に、現像位置の上方に吸引口２１が設けられた第１の吸引管２３においては、吸引口２１付近に付着したトナーが堆積すると、その自重により感光体ドラム２上に落下することがあり、画像に汚れが生じることがあるが、このような汚れの発生が低減される。
【００４１】
このようなトナー吸引装置の効果を確認する実験を行った結果を以下に説明する。
本実験では、図１に示す上記実施形態の画像形成装置と、トナー吸引装置の２つの吸引管に電極を備えていないものとについて、高画像密度のプリントを連続して行った。そして、吸引管から落下したトナーの塊の落下個数（ボタ落ち個数）と、吸引管によって吸引されずに感光体ドラムの周辺から流出したトナーの量（クラウド量）を測定した。流出したトナー量の測定は、吸引管による吸引効率を示す指標として測定したものであり、吸引管の吸引効率が低下すると流出するトナー量が増加する。
【００４２】
なお、上記実験では、４エリアカバレッジ４０％の高密度の画像を連続して形成するものとし、５００枚の画像を形成する毎に画像形成動作を停止し、吸引を行った状態で隣り合う電極間に交流電圧を１０秒間印加し、電極間に振動電界を形成した。
【００４３】
図４は、多数枚の画像形成を行ったときにトナーのボタ落ちが生じた個数を示した図であり、図５は、多数枚の画像形成を行ったときのクラウド量を示した図である。
図４及び図５に示すように、電極に振動電界を形成した本願発明に係るトナー吸引装置では、吸引管の内面に堆積したトナー塊の落下（ボタ落ち）は、電極を備えていないトナー吸引装置を用いたときに比べて顕著に減少している。また、浮遊トナーの量（クラウド量）も電極を備えていない場合に比べて大きく減少している。
【００４４】
以上に説明した実施の形態では、現像バイアス電圧の印加を停止したときに、吸引管の電極に交流電圧を印加するものであるが、交流電源として容量に余裕があるものを用いるときには、現像バイアス電圧の印加中つまり画像形成を行うときに吸引管の電極に交流電圧を印加することもできる。
また、吸引管の電極に交流電圧を印加する交流電源は、現像バイアス電圧を印加する交流電源とは別途に設け、現像バイアス電圧の印加時に又は現像バイアス電圧がＯＦＦ状態のときに電極に交流電圧を印加することもできる。さらに、本実施の形態では、４つの画像形成ユニットのそれぞれに設けられる吸引管のすべてについて共通に一つの交流電源が使用されているが、画像形成ユニット毎に設けても良い。
【００４５】
上記実施形態の交流電源４４は、ピークツーピーク電圧が１ｋｖの矩形波を供給するものであるが、正弦波であってもよい。また、電圧は適宜に変更することができ、現像ロールへの導線と吸引管の電極への導線とが分岐した後に電圧を増幅又は減衰させてそれぞれに印加することもできる。
【００４６】
吸引管の内面に設けられる電極は、図６（ａ）に示すように、樹脂材料により電極５２，５３を内包してシート状に形成した電極内包シート５１を吸引管５０の内面に貼付することによって形成することもできる。さらに、図６（ｂ）に示すように、吸引管５４を絶縁性材料で形成するものとし、吸引管５４の内面付近に電極５５，５６を予め埋め込んでおくものでもよい。
このように絶縁性材料で電極が被覆されているときには、付着したトナーによる電極間の目詰まりを抑制するとともに、導電性物質がトナーに混入されている場合であっても電流のリークを防止することができ、振動電界の形成に障害が生じるのを抑制することができる。
なお、上記絶縁性材料は、電極間のリーク電流が問題とならない程度の高抵抗材料であればよい。
【００４７】
また、本実施の形態では、吸引管の吸引口付近における内周面の上部と下部との双方に電極を設けているが、上部にのみ又は下部にのみ設けるものであってもよい。内周面の上部に電極を設けることによって、内周面の上部に付着又は堆積したトナーが自重により塊となって落下し、感光体ドラムの表面や画像形成装置内を汚染するのが低減される。また、内周面の下部に電極を設けることによって、トナーの自重によって吸引管の下部にトナーが付着又は堆積するのを低減することができる。
【００４８】
また、本実施の形態では、吸引管を感光体ドラムと現像装置とが対向する現像領域の上方と下方との双方に設けているが、いずれか一方でもよいし、上方と下方との他に浮遊トナーの移動しやすい位置に設けることもできる。
【符号の説明】
【００４９】
１：画像形成ユニット、    ２：感光体ドラム、    ３：帯電装置、    ４：露光装置、    ５：現像装置、    ６：一次転写ロール、    ７：クリーニング装置、    ９：中間転写ベルト、    １０：支持ロール、    １２：転写対向ロール、    １３：二次転写ロール、    １４：定着装置、    １５：排出ロール、    １６：中間転写ベルトのクリーニング装置、    １７：用紙トレイ、    １８：記録用紙の搬送路、  １９：二次転写部、    
２０：トナー吸引装置、    ２１：第１の吸引口、    ２２：第１の電極，    ２３：第１の吸引管、      ２４：第１の連結管、    ３０：電源装置、    ３１：第２の吸引口、    ３２：第２の電極，    ３３：第２の吸引管、    ３４：第２の連結管、    
４０：誘導管、      ４１：トナー回収槽、    ４２：フィルタ、    ４３：ファン、    ４４：交流電源、    ４５：直流電源、    ４６：第１のスイッチ、    ４７：第２のスイッチ、    
５０：吸引管、    ５１：電極内包シート、    ５２，５３：電極、    ５４：吸引管、    ５５，５６：電極
【図１】
2010230821.tif 000003
【図２】
2010230821.tif 000004
【図３】
2010230821.tif 000005
【図４】
2010230821.tif 000006
【図５】
2010230821.tif 000007
【図６】
2010230821.tif 000008